(57)【要約】【課題】１つの光源で広い範囲を照明することができる計器を提供する。【解決手段】光が背面１０ｂから前面１０ａに透過することにより視認される透過性指標と、前面１０ａに光が反射することにより視認される非透過性指標と、開口２４と、を有する文字板１０と、文字板１０の背面１０ｂ側に設けられる計器本体１１と、文字板１０の背面１０ｂ側に設けられ、光を発する光源１２と、文字板１０の前面１０ａ側を覆う透過部材１４と、を備える。非透過性指標は、計器本体１１を介して光源１２と対向する領域に位置する。開口２４は、光源１２の光を通過させる位置に設けられる。透過部材１４は、開口２４を通過した光を反射し、反射した光が非透過性指標を照明するように構成される。【選択図】図２
2019082421.tif 000002
【特許請求の範囲】
【請求項１】
光が背面から前面に透過することにより視認される透過性指標と、前記前面に光が反射することにより視認される非透過性指標と、開口と、を有する文字板と、
前記文字板の前記背面側に設けられる内部機器と、
前記文字板の前記背面側に設けられ、光を発する光源と、
前記文字板の前記前面側を覆う透過部材と、を備え、
前記非透過性指標は、前記内部機器を介して前記光源と対向する領域に位置し、
前記開口は、前記光源の前記光を通過させる位置に設けられ、
前記透過部材は、前記開口を通過した光を反射し、反射した光が前記非透過性指標を照明するように構成される、計器。
【請求項２】
前記内部機器は、前記透過性指標または前記非透過性指標を指し示す指針を駆動する計器本体である請求項１記載の計器。
【請求項３】
前記計器本体は、所定の数値を積算表示する積算計をさらに有し、
前記開口は、前記積算計を露出するために設けられる請求項２記載の計器。
【請求項４】
前記透過部材における前記開口を通過した光を反射させる箇所を少なくとも覆うバイザーをさらに備える請求項１から３のいずれか１項記載の計器。
【発明の詳細な説明】
【技術分野】
【０００１】
本発明は、車両などに搭載される計器に関する。
【背景技術】
【０００２】
自動二輪車などの車両には、速度計、エンジン回転数計などの計器類が搭載されている。このような計器は、目盛や数字などの指標が形成された文字板を有している。指標は、文字板の前面に印刷されたり、透過性を有して形成されたりしている。文字板の前面に印刷された指標は、例えば文字板の前面を照明する光源により照明されることにより、運転者に明瞭に視認される。透過性を有して形成された指標は、文字板の背面に設けられた光源により照明されることにより、運転者に視認される。
【先行技術文献】
【特許文献】
【０００３】
【特許文献１】特開平１０−３３９６５２号公報
【発明の概要】
【発明が解決しようとする課題】
【０００４】
視認性のためには、各形態の指標を個別に照明するため、文字板の背面側と、前面側とに光源を少なくとも２つ設けるのが好ましい。しかし、限られた筐体スペースにおいては、部品点数を可能な限り削減することが求められている。
【０００５】
本発明はこのような事情を考慮してなされたもので、１つの光源で広い範囲を照明することができる計器を提供することを目的とする。
【課題を解決するための手段】
【０００６】
本発明に係る計器は、上述した課題を解決するために、光が背面から前面に透過することにより視認される透過性指標と、前記前面に光が反射することにより視認される非透過性指標と、開口と、を有する文字板と、前記文字板の前記背面側に設けられる内部機器と、前記文字板の前記背面側に設けられ、光を発する光源と、前記文字板の前記前面側を覆う透過部材と、を備え、前記非透過性指標は、前記内部機器を介して前記光源と対向する領域に位置し、前記開口は、前記光源の前記光を通過させる位置に設けられ、前記透過部材は、前記開口を通過した光を反射し、反射した光が前記非透過性指標を照明するように構成される。
【発明の効果】
【０００７】
本発明に係る計器においては、１つの光源で広い範囲を照明することができる。
【図面の簡単な説明】
【０００８】
【図１】本発明に係る計器の実施形態であり、全体構成を説明する正面図。
【図２】図１のII−II線に沿う断面図。
【発明を実施するための形態】
【０００９】
本発明に係る計器の実施形態を添付図面に基づいて説明する。本発明に係る計器は、例えば二輪車や自動車などの車両や、船舶、農業機械、建設機械に搭載される。本実施形態においては、本発明に係る計器が主に速度計を有する計器である例を用いて説明する。
【００１０】
図１は、本発明に係る計器の実施形態であり、全体構成を説明する正面図である。
【００１１】
図２は、図１のII−II線に沿う断面図である。
【００１２】
以下の説明において、「前面側」は図１における手前側であり視認者に視認される側を意味し、「背面側」は図１における奥側を意味する。また、「上方」は図１における上方を意味し、「下方」は図１における下方を意味する。
【００１３】
計器１は、速度計２と、積算計３と、状態表示部４と、を有しており、各種情報を表示する。速度計２は、指針式の計器であり、車両の走行速度を表示する。積算計３は、車両の走行距離（所定の数値）を表示する。状態表示部４は、方向指示器の状態を表示する。なお、状態表示部４は、ギアポジションや前照灯の操作状態などの車両の状態や燃料量の減少などの警告を表示してもよい。
【００１４】
計器１は、文字板１０と、計器本体１１と、ランプ１２（光源）と、ケース１３と、カバー１４（透過部材）と、バイザー１５と、導光体１６と、を有している。
【００１５】
文字板１０は、計器１の外形に対応した、例えば透過性（透光性）を有するポリカーボネイト樹脂により形成された基板２１を有する。文字板１０は、指標２２、２３と、開口２４と、を有している。指標２２、２３は、指針３１により指し示される数字および目盛、並びに目盛および記号などである。指標２２、２３は、透過性指標２２と、非透過性指標２３と、である。
【００１６】
透過性指標２２は、基板２１の前面または背面（文字板１０の前面１０ａまたは背面１０ｂ）に形成された遮光性の印刷層の一部を、例えば、抜き文字にすることにより形成されている。また、必要に応じて抜き文字状の部分には、透過性の印刷層が形成されている。
【００１７】
非透過性指標２３は、文字板１０の前面１０ａに印刷などにより形成されている。非透過性指標２３は、計器本体１１を介してランプ１２と対向する領域に位置する。透過性指標２２は、計器本体１１の上方の領域に配置され、非透過性指標２３は、計器本体１１の下方の領域に配置される。
【００１８】
透過性指標２２は、光が文字板１０の背面１０ｂから前面１０ａに透過することにより視認される。透過性指標２２は、本実施形態においては、状態表示部４、および車両の速度を表す数字２８である。一方、非透過性指標２３は、透過性指標２２とは異なり、光が文字板１０の背面１０ｂから前面１０ａに透過する必要はなく、前面１０ａ（非透過性指標２３）に光が反射することにより視認される。非透過性指標２３は、本実施形態においては、速度の単位を示す表記である「Ｋｍ／ｈ」である。
【００１９】
開口２４は、後述する積算計３の形状に対応した略四角形であり、積算計３を露出するために設けられる。開口２４の位置については、後述する。
【００２０】
計器本体１１（内部機器）は、文字板１０の背面１０ｂ側に設けられている。計器本体１１は、透過性指標２２である車両の速度を表す数字２８を指し示す指針３１を駆動する。また、計器本体１１は、車両の走行距離を積算表示する積算計３を有している。積算計３は、指針３１の回転中心よりも、透過性指標２２側（上方）に配置される。
【００２１】
ランプ１２は、文字板１０の背面１０ｂ側に設けられており、例えばＬＥＤ（Light Emitting Diode）電球である。ランプ１２は、透過性指標２２、非透過性指標２３および積算計３を視認させるための光を発する。ランプ１２は、透過性指標２２に対応する領域の背面側に配置される。
【００２２】
ケース１３は、遮光性の合成樹脂材料などからなり、文字板１０、計器本体１１、およびランプ１２を収容し、計器１の外形を形成する。
【００２３】
カバー１４は、透光性の合成樹脂材料などからなり、ケース１３にねじなどで固定され、文字板１０の前面１０ａ側を覆う。
【００２４】
バイザー１５（図１においては省略）は、遮光性の合成樹脂材料などからなり、カバー１４の外周の少なくとも一部を覆い、計器１への外光の入射を防止する遮光部材である。バイザー１５は、カバー１４における開口２４を通過した光を反射させる箇所（後述）を少なくとも覆う。
【００２５】
導光体１６は、透光性の合成樹脂材料などからなり、ランプ１２の光を透過性指標２２および開口２４に導く。導光体１６は、計器本体１１とランプ１２の間に、背面方向に垂れ下がる垂下部１６ａを有する。垂下部１６ａは、光量を調整するためのシボなどの表面処理が形成され、積算計３や開口２４を通過しカバー１４の内面１４ａへ照射されるランプ１２からの照明光の光量を調節するためのものである。
【００２６】
次に、計器１における指標２２、２３の表示および開口２４の位置について詳細に説明する。
【００２７】
上述したとおり、透過性指標２２は、ランプ１２の光が文字板１０の背面１０ｂから前面１０ａに透過することにより視認される。すなわち、ランプ１２の光が点灯すると、数字２８や状態表示部４が点灯し、視認者に視認される。このとき、導光体１６によりランプ１２の光が拡散することにより、透過性指標２２は均一に照明される。また、導光体１６は開口２４にも作用し、積算計３は光で照明されて視認者に視認される。
【００２８】
ここで、ケース１３内（文字板１０の背面１０ｂ側）には、計器本体１１が設けられている。このため、計器本体１１は、ランプ１２の光を遮り、光は計器本体１１を介してランプ１２と対向する領域（以下単に「遮光領域」という。）まで到達しない。すなわち、遮光領域に透過性指標が設けられた場合、その透過性指標２２に光を透過することができない。
【００２９】
これに対し、本実施形態における計器１は、遮光領域に設けられる指標を非透過性指標２３とし、かつランプ１２の光を開口２４から導き、この光で非透過性指標２３を照明させる。具体的には、光路４０が示すように、ランプ１２の光は、垂下部１６ａを透過し、開口２４へ向かう。開口２４を通過した光は、指針３１を越えその下方の（計器本体１１の下方の領域の）カバー１４の内面１４ａ（文字板１０の前面１０ａと対向する面）を照射する。このとき、照射位置は、バイザー１５で覆われているため、カバー１４を透過した光が視認者の目に届くことがない。カバー１４の内面１４ａで反射した光は、文字板１０の前面１０ａに設けられた非透過性指標２３を照明する。このように開口２４を配置し、またカバー１４の形状を設定することにより、文字板１０の前面側では指針３１に光が遮られ、文字板１０の背面側では計器本体１１に光が遮られる場合であっても、一つのランプ１２で広い範囲を照明することができる。このため、ランプ１２を２つ以上設ける必要がなく、部品点数を削減できる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３１】
例えば、内部機器としての計器本体１１は、液晶表示装置などのランプ１２の光を遮る位置および大きさの機器であってもよい。
【００３２】
積算計３は、車両の走行距離以外の数値を積算表示してもよい。また、開口２４は、積算計３以外の文字板１０の背面１０ｂ側に設けられた構成を露出させるものでもよい。
【００３３】
開口２４を通過した光を反射させるカバー１４の内面１４ａの該当箇所には、シボ加工を施してもよい。これにより、非透過性指標２３を照明する光量を調整することができる。また、導光体１６は省略してもよい。
【００３４】
指針３１が指し示す指標は、透過性指標２２であっても、非透過性指標２３であってもよい。
【符号の説明】
【００３５】
１  計器
２  速度計
３  積算計
４  状態表示部
１０  文字板
１０ａ  前面
１０ｂ  背面
１１  計器本体
１２  ランプ（光源）
１３  ケース
１４  カバー（透過部材）
１４ａ  内面
１５  バイザー
１６  導光体
２１  基板
２２  透過性指標
２３  非透過性指標
２４  開口
２８  数字
３１  指針
４０  光路
【図１】
2019082421.tif 000003
【図２】
2019082421.tif 000004